(57)【特許請求の範囲】
【請求項１】
載置台に載置された被読取物を走査して、前記被読取物の画像を読み取る画像読取部と、前記画像読取部を制御して、前記被読取物の画像の読み取りを実行する制御部とを備え、前記画像読取部は、前記載置台に載置された前記被読取物を照射する複数のランプと、前記ランプを搭載し、前記載置台に沿って移動しながら前記被読取物を走査して前記被読取物の画像をスキャンする走査ユニットとを有し、前記複数のランプは、前記走査ユニットが移動する移動方向の上流側と下流側にそれぞれ配置され、前記上流側のランプおよび下流側のランプが前記載置台を照射したときに、前記載置台の載置面において前記上流側のランプの照射光と前記下流側のランプの照射光とが重なった領域が読取領域とされ、前記上流側のランプと下流側のランプは、前記読取領域を挟んで対称に位置し、前記走査ユニットは、前記読取領域において前記移動方向と直交する走査方向の１ライン毎にスキャンしながら前記移動方向に移動し、前記制御部は、凹凸のある前記被読取物を読み取るときに前記凹凸によってできる影による読取画像への影響を排除するために、前記上流側のランプと下流側のランプの光量の合計を一定にしながら、前記上流側のランプと下流側のランプの光量を変化させる制御を行うブックモードを実行し、
前記ブックモードの実行時、前記制御部は、１ライン毎に前記上流側のランプの光量と下流側のランプの光量とを同じにして前記被読取物を照射し、１ライン毎に読取画像の輝度を検出して、１ライン分における前記読取画像における全画素の輝度の合計値が閾値以上のとき、前記読取画像を保存して、次の１ラインの画像の読み取りを行い、輝度の合計値が閾値より小さくなったとき、前記上流側のランプと下流側のランプの光量の合計を一定にしながら前記上流側のランプと下流側のランプの光量を段階的に変化させて、その都度前記被読取物の画像を読み取り、輝度の合計値が閾値以上になったとき、このときの読取画像を保存して、次の１ラインの画像の読み取りを行い、最終的に輝度の合計値が閾値を越えないとき、輝度の合計値が最も高いときの読取画像を保存して、次の１ラインの画像の読み取りを行うことを特徴とする画像読取装置。
【請求項２】
前記制御部は、前記上流側のランプと下流側のランプの光量を段階的に変化させるとき、予め作成された光量テーブルを参照して、前記上流側のランプおよび下流側のランプの光量を設定し、それぞれの光量にしたがって各ランプを駆動し、その都度読取画像を記憶することを特徴とする請求項１記載の画像読取装置。
【請求項３】
前記被読取物からの反射光を検出する光センサが前記走査ユニットに設けられ、前記制御部は、読取画像の輝度を利用する代わりに、前記光センサの受光量が基準値以上のとき、前記上流側のランプと下流側のランプの光量の合計を一定にしながら、前記上流側のランプの光量と下流側のランプの光量とを同じにしたときの前記被読取物の画像を読み取り、前記受光量が前記基準値未満のとき、前記上流側のランプと下流側のランプの光量の合計を一定にしながら、前記上流側のランプと下流側のランプの光量を変化させる制御を行って、前記被読取物の画像を読み取ることを特徴とする請求項１または２記載の画像読取装置。
【請求項４】
前記走査ユニットは、前記走査方向に移動自在とされ、前記複数のランプが前記走査方向と平行に配置され、前記走査ユニットが前記走査方向に移動するとき、前記制御部は、前記上流側のランプと下流側のランプの光量の合計を一定にしながら、前記上流側のランプと下流側のランプの光量を変化させる制御を行うことを特徴とする請求項１〜３のいずれかに記載の画像読取装置。
【発明の詳細な説明】
【技術分野】
【０００１】
本発明は、原稿等の被読取物の画像をスキャンして、画像を読み取る画像読取装置に関する。
【背景技術】
【０００２】
画像読取装置では、書籍等のように凹凸のある被読取物をスキャンすることがある。書籍の綴じ部分が凹凸となるので、読取画像において、綴じ部分が影となって現れる。この影は、被読取物を照射するランプによって生じる。影をなくすには、ランプの光量を上げればよい。被読取物に凹凸があっても、十分な反射光が得られ、影は現れない。しかし、ランプに供給される電力には限度があり、非現実的である。
【０００３】
特許文献１に記載された画像読取装置では、原稿の凹凸を検出して、ランプから原稿までの距離に応じて、ランプの光量あるいは照射方向を変化させている。これにより、影やひずみが生じない読取画像が得られる。
【特許文献１】特開平１０−２９０３２８号公報
【発明の開示】
【発明が解決しようとする課題】
【０００４】
上記の画像読取装置では、１つのランプによって被読取物を照射する。そのため、ランプの光量を変えたり、照射方向を変えなければならない。しかし、ランプの光量を変える場合、ランプに供給できる電力の範囲内で変化させる必要があり、自ずと限界がある。また、画像読取装置では、ランプに対してミラーやレンズの位置は固定されている。そのため、被読取物の凹凸に対して照射方向を変えても、綴じ部分のような凹みに対して一方向からしか光を照射できない。したがって、凹凸の傾斜部分に均等に光を照射することができず、読取画像にむらが生じるおそれがある。
【０００５】
そこで、本発明は、上記に鑑み、複数のランプを用いることにより、ランプ全体の光量を上げることなく、被読取物の画像をむらがないように読み取ることができる画像読取装置の提供を目的とする。
【課題を解決するための手段】
【０００６】
本発明は、読取領域にある被読取物の画像をスキャンする走査ユニットを備え、走査ユニットは、被読取物を照射する複数のランプを有し、各ランプの光量比を調整する制御部を備えたものである。
【０００７】
制御部は、被読取物の凹凸によってできる影による読取画像への影響を排除するために、各ランプの光量比を調整する。複数のランプの光量がそれぞれ可変されることにより、各ランプの光量比も変化する。これにより、被読取物の凹凸に照射される光の当たり具合が変化して、被読取物からの反射光量が増える。その結果、読取画像にできる影の画像が淡くなり、他の画像が見にくくなるといった影響を排除できる。
【０００８】
読取領域を挟んで両側にランプがそれぞれ配置されているとき、制御部は、被読取物にできる影に応じて、一側のランプの光量と他側のランプの光量とをそれぞれ可変する。被読取物の凹凸に暗い部分ができなくなり、読み取った画像に影が現れにくくなる。
【０００９】
制御部は、ランプ全体の光量合計を一定とし、一側のランプの光量と他側のランプの光量との合計が一定になるように各ランプの光量を可変して、光量比を調整する。ランプ全体の光量は変わらないので、決められた電力の範囲内でランプの制御を行える。
【００１０】
走査ユニットは、読取領域において走査方向の１ライン毎にスキャンしながら走査方向と直交する移動方向に移動し、各ランプは、読取領域を挟んで移動方向上流側と下流側にそれぞれ配置され、制御部は、走査方向に沿ってできる影に応じて、上流側のランプの光量を下げるとともに下流側のランプの光量を上げ、その後上流側のランプの光量を上げるとともに下流側のランプの光量を下げる。被読取物の凹凸が走査方向と平行である場合に、このような光量の調整を行うと、効果的に影の影響を排除でき、しかも被読取物をむらなく読み取ることができる。
【００１１】
制御部は、読取画像の輝度に基づいて、各ランプの光量を決める。被読取物の凹凸によって反射光量が変化し、この反射光量に応じて読取画像の輝度が変化する。したがって、読取画像の輝度を検出することにより、凹凸の有無がわかる。
【００１２】
制御部は、読取領域において走査方向にスキャンしたとき、１ライン毎に読取画像の輝度を検出し、光量比の調整を行う。読取画像に影の画像が現れるとき、読取画像の輝度が低くなる。このような場合に、光量比の調整が行われる。
【００１３】
すなわち、制御部は、１ライン分の読取画像の輝度の合計が閾値を超えないとき、光量比の調整を行い、閾値を超えたとき、読取画像を出力する。制御部は、１ライン分の読取画像の輝度の合計が最終的に閾値を超えなかったとき、最も輝度の合計が高い読取画像を出力する。読取画像の輝度の合計が閾値を超えないとき、影の画像が現れている。そこで、ランプの光量比を調整すると、輝度の合計が上がり、影の画像が現れにくくなっていく。
【００１４】
被読取物からの反射光量を検出する光センサが設けられ、制御部は、光センサが受光した光量に基づいて、光量比の調整を行う。読取画像の輝度によって被読取物の凹凸の有無を検出する代わりに、反射光量を直接検出することにより、凹凸の有無を検出できる。
【発明の効果】
【００１５】
本発明によると、被読取物の凹凸に対して複数の方向から照射する光を調整することにより、読み取った画像において影の画像を現れにくくすることができ、高品質な読取画像を得ることができる。しかも、ランプに供給できる電力の範囲内でランプの光量を調整することにより、効率のよい照射となる。
【発明を実施するための最良の形態】
【００１６】
本実施形態の画像読取装置を図１に示す。画像読取装置は、表面に画像が記録された被読取物を走査して画像を読み取る画像読取部１を備える。画像読取部１は、キャビネットに内装される。キャビネットの上面には、透明なガラスからなる載置台２が設けられ、載置台２の上面には、シート状の原稿や本等の被読取物が載置される。なお、図示しないが、キャビネットには、載置台２を覆う原稿カバーが開閉自在に設けられ、原稿カバーに自動原稿送り装置が装着される。
【００１７】
画像読取部１は、２つのランプ３、４、第１〜第３ミラー５〜７、結像レンズ８、撮像素子９を備え、ランプ３、４、ミラー５〜７を搭載する２つの走査ユニット１０、１１を有する。画像読取部１は、載置台２の下方に配置される。載置台２の上面が被読取物の載置面１２とされる。
【００１８】
各ランプ３、４は、載置台２に載置される原稿を照明する。ランプ３、４は、蛍光灯あるいはＬＥＤからなり、キャビネットの前後方向に配置される。なお、キャビネットの前後方向（図面に対して垂直方向）が走査方向である。ランプ３、４の周囲には、反射板１３が設けられ、各ランプ３、４からの光が載置台２の載置面１２を照射する。
【００１９】
各ミラー５〜７および結像レンズ８は、原稿から反射された光をＣＣＤからなる撮像素子９に結像する結像光学系を構成する。結像レンズ８は、複数枚のレンズを略円筒状の枠部材に固定したものである。枠部材としては、アルミニウムやガラス入りの樹脂などが用いられる。
【００２０】
複数のミラー５〜７は、原稿からの光を結像レンズ８に導く。各ランプ３、４から照射された光は、載置台２に載置された原稿の表面で乱反射する。原稿の表面から下方に反射した光は、第１ミラー５で反射され、その後第２ミラー６、第３ミラー７で順に反射されて、結像レンズ８に導かれる。結像レンズ８を通過した光は、撮像素子９上に結像される。撮像素子９は、光信号を電気信号に変換して、画像信号として出力する。
【００２１】
第１ミラー５は、各ランプ３、４と共に第１走査ユニット１０に搭載される。第２、第３ミラー６，７は、第２走査ユニット１１に搭載される。各走査ユニット１０、１１は、移動しながら原稿を走査する。
【００２２】
第１走査ユニット１０は、駆動モータ、プーリ、ワイヤからなる駆動系によって駆動され、キャビネットの幅方向（図面における左右方向）に往復移動する。第１走査ユニット１０は、走査時には、矢印Ａ１の移動方向に一定の速度Ｖで移動する。読取終了後には、矢印Ａ２の復帰方向に移動する。第２走査ユニット１１も同じ駆動系によって駆動され、第１走査ユニット１０の速度Ｖに対して２分の１の速度（Ｖ／２）で読取方向Ａ１に移動する。
【００２３】
走査ユニット１０、１１の移動による原稿に対する読取位置は、走査始端Ｐ１から走査終端までとされる。第１走査ユニット１０は、始端Ｐ１に対応する初期位置から終端に対応する終了位置まで移動する。初期位置から終了位置までが第１走査ユニット１０の移動領域とされる。同様に、第２走査ユニット１１の初期位置および終了位置が決まり、第２走査ユニット１１の移動領域は第１走査ユニット１０の移動領域の半分となる。なお、終了位置は、原稿の大きさによって決まる。
【００２４】
第１走査ユニット１０および第２走査ユニット１１の移動に伴って、ミラー群が載置台２に沿って移動する。第１走査ユニット１０および第２走査ユニット１１の移動中、両者の速度比は２：１に保たれるので、原稿面から結像レンズ８に至る光路長が一定に保たれる。これによって、走査始端Ｐ１から走査終端までの原稿の画像が撮像素子９に結像する。
【００２５】
第１走査ユニット１０の初期位置に対向する載置台２上に、シェーディング補正用の基準白板１５が設けられている。第１走査ユニット１０は、基準白板１５の下に移動したとき、基準白板１５の像が撮像素子９に結像される。これにより、白補正データが作成される。
【００２６】
第１走査ユニット１０の位置を検知するために、図示しない複数の位置センサが設けられている。位置センサは、例えばフォトインタラプタであって、第１走査ユニット１０に設けられた遮光板がフォトインタラプタのスリットを通過することにより、位置センサは検出信号を出力する。第１走査ユニット１０の初期位置あるいは終了位置への到達が検出される。検出信号に応じて、駆動モータの回転が制御され、第１走査ユニット１０および第２走査ユニット１１の移動が制御される。そのため、走査ユニット１０、１１は、移動領域の端まで達したときに停止する。
【００２７】
本画像読取部１は、２つのランプ３、４を備えている。各ランプ３、４は、移動方向の上流側および下流側にそれぞれ配置される。２つのランプ３、４が載置台２を照射したとき、載置面１２において照射光が重なる。この重なった領域が読取領域である。すなわち、上流側の第１ランプ３と下流側の第２ランプ４とは、読取領域を挟んで左右対称の位置にある。各ランプ３、４から照射される光の中心は１点に集光され、走査方向に１本のラインが形成される。画像読取部１は、１ライン毎に原稿をスキャンする。走査ユニット１０、１１が移動方向に移動すると、次々に１ライン毎に画像が読み取られる。
【００２８】
図２に示すように、画像読取装置は、画像読取部１、画像処理部２０、記憶部２１、通信部２２、制御部２３を備えている。画像読取装置は、コンピュータ、プリンタ等の外部機器に通信可能に接続される。
【００２９】
画像読取部１では、原稿に光を照射し、原稿から反射した光を結像光学系に導いて撮像素子９で読み取る。撮像素子９で読み取られた原稿の画像信号は、画像処理部２０へ出力される。画像処理部２０は、撮像素子９からの画像信号をＡ／Ｄ変換して画像データに変換し、変換された画像データに色変換処理、フィルタ処理等の画像処理を施す。また、画像読取部１と協働してシェーディング補正を実行する。記憶部２１は、画像処理部２０が画像データに画像処理を施す際、一時的に処理対象の画像データを記憶する。また、記憶部２１は、処理された画像データを通信部２２を介して外部機器に転送し終えるまで保持する。通信部２２は、画像処理部２０を介して記憶部２１からの画像データを受け取り、外部機器へ転送する。通信部２２は、ＬＡＮあるいはインターネット等のネットワークを通じて外部機器との間で双方向通信を行う。外部機器において、画像データに所定の処理が施される。そして、画像が印刷、表示等により出力されたり、画像データが保存される。
【００３０】
制御部２３は、装置全体の動作を制御して、被読取物の画像の読み取りを実行する。制御部２３は、ＣＰＵ、実行するプログラムを格納するＲＯＭ、作業用の記憶領域を提供するＲＡＭ等によって構成される。
【００３１】
なお、画像処理部２０および通信部２２は、例えばＣＰＵ等からなる制御部２３と、画像処理を行う各ブロックの設定値を記憶する不揮発性メモリ、画像処理用ならびに通信用の回路ブロックを集積したＬＳＩなどを用いた回路で構成することができる。記憶部２１は、ＤＲＡＭや他の方式のメモリ素子とされる。また、記憶部２１には、ＨＤＤ、ＳＳＤなどの記憶装置を用いてもよい。
【００３２】
ここで、本を載置台２に載置したとき、本の綴じ部分では、載置面１２に対して凹凸となる。このような凹凸のある被読取物を読み取ると、図３の（Ａ）に示すように、読取画像において、綴じ部分の画像が黒くなり、影の画像が現れる。また、綴じ部分近傍では、読取画像に淡い影が現れ、文字等の画像が読めなくなる。そこで、制御部２３は、被読取物の凹凸によってできる影による読取画像への影響を排除するためのブックモードを実行する。ブックモードが実行されると、制御部２３は、各ランプ３、４の駆動を制御して、影に応じて各ランプ３、４の光量を可変する。
【００３３】
制御部２３は、ランプ全体の光量合計を一定とし、一側のランプ３の光量と他側のランプ４の光量との合計が一定になるように各ランプ３、４の光量を可変して、光量比を調整する。すなわち、制御部２３は、走査方向に沿って現れる影に応じて、上流側の第１ランプ３の光量を下げるとともに下流側の第２ランプ４の光量を上げ、その後上流側の第１ランプ３の光量を上げるとともに下流側の第２ランプ４の光量を下げる。このとき、制御部２３は、読取画像の輝度に基づいて、被読取物の凹凸によってできる影の位置を検出する。影を検出したときに、各ランプ３、４の光量比を調整する。
【００３４】
上記のブックモードが実行されるときの画像読取装置の動作を図４にしたがって説明する。凹凸のある被読取物として本が載置台２に載置される。本は横置きされ、本の綴じ部分が走査方向と平行になる。ユーザがスキャンのスタートボタンを操作すると、制御部２３は、走査ユニット１０、１１を初期位置に復帰させる（Ｓ１００）。
【００３５】
スキャンが開始されると、走査ユニット１０、１１は、１ライン分移動方向（副走査方向）に移動して、画像読取部１は、読取領域にある被読取物の画像を１ライン分読み取る（Ｓ１１０）。このとき、制御部２３は、各ランプ３、４の光量比を１００：１００とする。すなわち、両ランプ３、４の光量は同じである。
【００３６】
制御部２３は、画像読取部１から入力された１ライン分の読取画像において、全画素の輝度を合計した合計値を算出する（Ｓ１２０）。制御部２３は、合計値が閾値を超えるか否かを判断する（Ｓ１３０）。この輝度に関する閾値は、凹凸の有無を判断するための基準とされる。凹凸があると、ランプ３、４から照射された光は乱反射して、被読取物からの反射光量が減る。すると、読取画像の輝度は低くなり、輝度の合計値が閾値よりも小さくなる。輝度の合計値が閾値よりも小さいときの読取画像では、現れた影の影響により、文字等の画像をはっきりと視認できない。
【００３７】
図５に示すように、被読取物が載置面１２に密着して、凹凸がない場合、輝度の合計値が閾値以上となる。制御部２３は、凹凸でないと判断して、１ラインの読取画像を記憶部（画像メモリ）２１に保存する（Ｓ１４０）。制御部２３は、読み取ったラインが最終ラインでないことを確認する（Ｓ１５０）と、走査ユニット１０、１１を１ライン分移動させ、次のラインの画像読み取りを行う。
【００３８】
図６に示すように、読取領域が綴じ部分に差し掛かると、被読取物による反射光量が減り、輝度の合計値が閾値未満となる。制御部２３は、凹凸であると判断して、光量の調整を実行する（Ｓ１６０）。
【００３９】
制御部２３は、まずカウント値Ｃを１に初期化し（Ｓ２００）、一時記憶メモリをクリアする（Ｓ２０５）。そして、図７（ａ）に示す光量テーブルを参照して、各ランプ３、４の光量を設定する（Ｓ２１０）。制御部２３は、カウント値Ｃにおける第１ランプ３および第２ランプ４の光量にしたがって、各ランプ３、４を駆動する。光量テーブルは予め作成され、不揮発性メモリに記憶される。
【００４０】
図６に示すように、綴じ部分の移動方向上流側が読取領域にあるとき、第１ランプ３の光量＜第２ランプ４の光量とされる。例えば、第１ランプ３と第２ランプ４の光量比は５０：１５０とされる。また、図８に示すように、綴じ部分の移動方向下流側が読取領域にあるとき、第１ランプ３の光量＞第２ランプ４の光量とされる。例えば、第１ランプ３と第２ランプ４の光量比は１５０：５０とされる。いずれの場合も、各ランプ３、４の光量の合計は一定である。
【００４１】
画像読取部１が１ライン分の画像を読み取ると、制御部２３は、読取画像の全画素の輝度の合計値を算出し（Ｓ２２０）、合計値が閾値を超えるかを判断する（Ｓ２３０）。
【００４２】
輝度の合計値が閾値未満のとき、制御部２３は、カウント値Ｃを１インクリメントして（Ｓ２５０）、Ｃ＝２１になっていないことを確認する（Ｓ２６０）と、カウント値Ｃ＋１における第１ランプ３および第２ランプ４の光量にしたがって、各ランプ３、４を駆動する。
【００４３】
制御部２３は、再度、輝度の合計値が閾値を超えるか判断する。合計値が閾値以上になると、制御部２３は、このときの読取画像を記憶部２１に保存する（Ｓ２８０）。そして、次のラインの画像読み取りを行う。
【００４４】
輝度の合計値が閾値を超えないとき、制御部２３は、各ランプ３、４の光量を光量テーブルにしたがって段階的に可変していく。その都度、制御部２３は、図７（ｂ）に示すように、カウント値毎に、輝度合計値および１ライン分の読取画像を一時記憶メモリに記憶する。Ｃ＝２１となり（Ｓ２６０）、最終的に輝度の合計値が閾値を超えないとき、制御部２３は、輝度の合計値が最も高いときの読取画像を一時記憶メモリから抽出し（Ｓ２７０）、この読取画像を記憶部２１に保存する（Ｓ２８０）。
【００４５】
図９に示すように、読取領域が綴じ部分を過ぎると、制御部２３は、各ランプ３、４の光量を同等にする。すなわち、光量比が１００：１００となる。最終ラインまで画像読み取りが終了する（Ｓ１５０）と、制御部２３は、通信部２２を通じて読取画像を出力する。そして、画像読取部１は、ランプ３、４を消灯して、走査ユニット１０、１１を初期位置まで戻す。
【００４６】
このように、本の綴じ部分では、両側が傾斜面となった凹みとなる。移動方向一側の傾斜面を読み取るとき、この傾斜面に対向するランプ３、４の光量が上げられ、他側の傾斜面に対向するランプ３、４の光量が下げられる。例えば、図６に示すように、上流側の傾斜面を読み取るときには、この傾斜面に対向する第２ランプ４の光量が上げられる。したがって、傾斜面からの反射光量が増え、読取画像の輝度が高くなる。このとき、ランプ全体の光量は一定であるので、ランプ３、４に供給できる電力の範囲内で光量の調整が行われる。したがって、余計なエネルギを使わなくてすむ。
【００４７】
その結果、図３の（Ｂ）に示すように、読取画像における綴じ部分の影の画像が薄くなり、綴じ部分近傍の文字等の画像が見えるようになる。しかも、左右の傾斜面に対して同じように光量を制御するので、綴じ部分における左右の読取画像に差ができず、むらのない読取画像を得ることができる。
【００４８】
また、１ラインの読取画像の輝度の合計値が閾値を超えない場合であっても、最も輝度の合計が高い読取画像が出力される。したがって、影の画像に比べて、明るい読取画像となり、影による影響を受けない読取画像が得られる。
【００４９】
なお、上記の画像読取装置では、結像レンズとＣＣＤを用いた縮小光学系のスキャナであるが、図１０に示すように、撮像素子としてＣＩＳ（ＣｏｎｔａｃｔＩｍａｇｅ Ｓｅｎｓｏｒ）２５と、セルフォックレンズ２６（登録商標）とを用いた等倍光学系のスキャナとしてもよい。
【００５０】
上記では、被読取物の凹凸を検出するために、読取画像の輝度を利用しているが、これの代わりに、被読取物からの反射光を検出する光センサを設ける。光センサは、読取動作に支障がない被読取物の端部からの反射光を受けるよう、走査ユニット１０の走査方向の一端に配置される。制御部２３は、光センサの受光量に基づいて、凹凸の有無を判断する。受光量が基準値以上のとき、凹凸ではないと判断し、受光量が基準値未満のとき、凹凸であると判断する。これにより、ランプ光量の制御が必要か必要でないかの判断をすばやく行うことができ、読取処理の時間短縮を図れる。
【００５１】
なお、本発明は、上記実施形態に限定されるものではなく、本発明の範囲内で上記実施形態に多くの修正および変更を加え得ることは勿論である。画像読取装置は、スキャナのような単独機に限らず、コピー機、ファクシミリ機、複合機といった画像処理装置に組み込まれてもよい。また、画像読取装置はハンディスキャナであってもよい。
【００５２】
上記の画像読取装置では、ブックモードが自動的に実行されるが、ブックモードの実行を選択可能とする。凹凸のある被読取物を読み取るとき、ユーザがブックモードを選択すると、制御部はブックモードを実行する。この場合、読取画像には影の画像が現れることがわかっているので、制御部は、読取画像に直線状あるいは曲線状の黒い画像が現れたとき、影の画像とみなして、ランプの光量を調整して、再度読み取りを行う。各種の形状の影に対応することができる。
【００５３】
ランプは２つ以上としてもよく、例えば走査方向に沿って、複数のランプを並べて配置する。被読取物の凹凸が、本の綴じ部分のように走査方向と平行に長いものに限らず、部分的に凹凸がある場合に対応できる。凹凸に対向するランプに対してのみ、光量が可変される。
【００５４】
また、走査ユニットを移動方向だけでなく、走査方向にも移動自在に設けてもよく、複数のランプが走査方向と平行に配置される。本が縦置きされた場合、綴じ部分は移動方向と平行になる。この場合、ランプが走査方向に移動するとき、綴じ部分に応じて各ランプの光量が可変される。
【図面の簡単な説明】
【００５５】
【図１】本発明の画像読取装置を示す図であって、（ａ）は走査開始前の状態にあるとき、（ｂ）は走査終了時の状態にあるとき
【図２】画像読取装置の制御ブロック図
【図３】（Ａ）影が現れた読取画像を示す図、（Ｂ）影の影響を排除した読取画像を示す図
【図４】画像読取のフローチャート
【図５】被読取物の凹凸がない部分を読み取っている画像読取装置を示す図
【図６】被読取物の綴じ部分の上流側を読み取っている画像読取装置を示す図
【図７】（ａ）光量テーブルを示す図、（ｂ）ブックモード実行時に一時記憶メモリに記憶された内容を示す図
【図８】被読取物の綴じ部分の下流側を読み取っている画像読取装置を示す図
【図９】被読取物の凹凸がない部分を読み取っている画像読取装置を示す図
【図１０】他の撮像素子を備えた画像読取装置を示す図
【符号の説明】
【００５６】
１    画像読取部
２    載置台
３    第１ランプ
４    第２ランプ
１０    第１走査ユニット
１１    第２走査ユニット
２１    記憶部
２３    制御部
【図１】
0004902598.tif 000002
【図２】
0004902598.tif 000003
【図３】
0004902598.tif 000004
【図４】
0004902598.tif 000005
【図５】
0004902598.tif 000006
【図６】
0004902598.tif 000007
【図７】
0004902598.tif 000008
【図８】
0004902598.tif 000009
【図９】
0004902598.tif 000010
【図１０】
0004902598.tif 000011